(57)【要約】【課題】  優れた吸湿性と高い消臭特性を発揮することにより、就寝中の発汗等により生じる湿気や体臭を吸着し、効率よく消臭することができる寝具を提供する。【解決手段】    消臭性を有する不織布１０が側生地３内面に配設されている。前記不織布１０が側生地３に縫着されている。前記不織布１０がキルティング加工にて縫着されている。前記不織布１０が超音波キルト加工にて接着されている。前記不織布１０を身体が接触される側生地３内面に配設した。前記不織布１０が木綿繊維、麻繊維またはレーヨン繊維にメタクリル酸をグラフト共重合反応させて得られた消臭繊維にて形成されている。掛け布団１１、敷き布団１２、枕１３である。【選択図】  図１
0003103626.tif 000002
【実用新案登録請求の範囲】
【請求項１】
消臭性を有する不織布が側生地内面に配設されていることを特徴とする寝具。
【請求項２】
前記不織布が側生地に縫着されている請求項１記載の寝具。
【請求項３】
前記不織布がキルティング加工にて縫着されている請求項１記載の寝具。
【請求項４】
前記不織布が超音波キルト加工にて接着されている請求項１記載の寝具。
【請求項５】
前記不織布を身体が接触される側生地内面に配設した請求項１〜４のうちいずれか一項記載の寝具。
【請求項６】
前記不織布が、木綿繊維、麻繊維またはレーヨン繊維にメタクリル酸をグラフト共重合反応させて得られた消臭繊維にて形成されている請求項１〜５のうちいずれか一項記載の寝具。
【請求項７】
掛け布団、敷き布団、枕である請求項１〜６のうちいずれか一項記載の寝具。
【考案の詳細な説明】
【技術分野】
【０００１】
本考案は、就寝中の発汗等により生じる湿気や体臭を吸着すると共に、吸着した臭いを効率よく消臭することができる寝具に関する。
【背景技術】
【０００２】
従来、消臭機能を有するミシン糸を用いたベッドパットがある（例えば、特許文献１参照）。
上掲特許文献１のベッドパットは、過酸化水素と二価鉄塩を含む水溶液中において、セルロース繊維にメタクリル酸をグラフト共重合させるという製造方法によって得られた消臭セルロース繊維を紡糸してミシン糸とし、該ミシン糸を用いて消臭加工をしていない普通の加工わたを布で被覆してキルティング加工して消臭ベッドパットとすることを特徴とする。
【特許文献１】特開２０００−５１０３９号公報（第１−２頁、図１）
【考案の開示】
【考案が解決しようとする課題】
【０００３】
しかしながら、かかる消臭セルロース繊維は洗濯を繰り返すうちに消臭機能が低下するという欠点があった。また、消臭機能を有する個所がミシン糸部分に限定されるため、高い消臭性は得られなかった。
【０００４】
そこで本考案は上記の点に鑑み、優れた吸湿性と高い消臭特性を発揮させることで、就寝中の発汗等により生じる湿気や体臭を吸着し、効率よく消臭することができる寝具を提供することにある。
【課題を解決するための手段】
【０００５】
上記課題を解決するために本考案の寝具は、消臭性を有する不織布が側生地内面に配設されていることを特徴とする。また、前記不織布は側生地に縫着されていてもよい。さらに、前記不織布はキルティング加工にて縫着されていてもよい。さらにまた、前記不織布は超音波キルト加工にて接着されていてもよい。さらにまた、前記不織布を身体が接触される側生地面に配設してもよい。さらにまた、前記不織布は木綿繊維、麻繊維またはレーヨン繊維にメタクリル酸をグラフト共重合反応させて得られた消臭繊維にて形成されていてもよい。さらにまた、これらの寝具は掛け布団、敷き布団、枕であってもよい。
【考案の効果】
【０００６】
消臭性を有する不織布が側生地内面に配設されていることにより、就寝中の発汗等により生じる湿気や体臭を吸着すると共に、吸着した臭いを効率よく消臭することができる。
また、前記不織布が側生地に縫着されていることにより、使用中における不織布のズレや皺の発生を防ぐことができる。さらに、前記不織布がキルティング加工にて縫着されていることにより、側生地と不織布の縫着状態が高まると共に、図柄やデザインが演出でき外観的見栄えも向上する。さらにまた、前記不織布が超音波キルト加工にて接着されていることにより、素材同士が点状接着となり素材自体の通気性を維持でき、長期使用中においても糸切れやほつれの発生を防ぐことができる。さらにまた、前記不織布を身体が接触される側生地面に配設したことにより、効率よい消臭特性が発揮される。さらにまた、前記不織布が木綿繊維、麻繊維またはレーヨン繊維にメタクリル酸をグラフト共重合反応させて得られた消臭繊維にて形成されていることにより、洗濯においても消臭効果が低減することがなく、消臭機能が回復して繰り返しの使用が可能で経済的である。
【考案を実施するための最良の形態】
【０００７】
以下、本考案の実施の形態を図面に基づいて詳細に説明する。
図示する寝具１は、特に優れた吸湿性と高い消臭特性を有することにより、就寝中の発汗等により生じる湿気や体臭を吸着し、効率よく消臭することができることを特徴とするものである。
【０００８】
寝具１は、図１および図２に示すように、緩衝性を有する中材２と、中材２を被覆する側生地３とからなる。寝具１は側生地３の内面に消臭性を有する不織布１０を配設することにより形成される。消臭性を有する不織布１０を配設する箇所は側生地３の内面であれば特に限定されるものではなく、上面と下面とに配設してもよい（図示せず）。
【０００９】
不織布１０は、消臭性組成物を含有、または付着した繊維を利用して形成する他、既存の不織布に消臭性組成物を付着することにより形成される。不織布１０には、木綿繊維、麻繊維又はレーヨン繊維に、メタクリル酸をグラフト共重合反応させたものであって、該繊維に対するメタクリル酸のグラフト化率が７〜１５重量％であることを特徴とする改質セルロース繊維を使用することが好ましい。なお、この改質セルロース繊維は、特許第３２３９１４６号公報に開示される改質セルロース繊維として公知の技術である。
【００１０】
本考案の寝具の他の好適例として、図３及び図４に示すように、不織布１０を寝具１の側生地３内面に縫着することが好ましい。縫着する際には、不織布１０と側生地３を重ね合わせ、通常の方法で不織布１０の周囲を、または全面を縫着することが好ましい。不織布１０を側生地３に縫着することにより、使用中における不織布１０のズレや皺の発生を防ぐことができる。消臭性を有する不織布１０を配設する箇所は側生地３の内面であれば特に限定されるものではなく、上面と下面とに配設してもよい（図示せず）。
【００１１】
また、本考案の寝具の他の好適例として、不織布１０を側生地３にキルティング加工にて縫着することが好ましい。これにより、側生地３と不織布１０の縫着状態が高まると共に、図柄やデザインが得られ外観的見栄えも向上させることができる。消臭性を有する不織布１０を配設する箇所は側生地３の内面であれば特に限定されるものではなく、上面と下面とに配設してもよい（図示せず）。
【００１２】
さらに、本考案の寝具の他の好適例として、図５および図６に示すように、不織布１０と側生地３とを超音波キルト加工にて接着することが好ましい。超音波キルト加工を用いることで、不織布１０と側生地３とが溶着部４による点状接着となり、素材自体の通気性を維持でき、さらに長期使用中においても糸切れやほつれの発生を防ぐことができる。消臭性を有する不織布１０を配設する箇所は側生地３の内面であれば特に限定されるものではなく、上面と下面とに配設してもよい（図示せず）。
【００１３】
超音波キルト加工は、素材自体を超音波振動による摩擦熱で複数層の素材を接着する加工技術であり、従来から周知の技術とされている。上述の超音波キルト加工を用いることで、不織布１０と側生地３とが超音波振動による摩擦熱で溶着されるため、素材自体の通気性や通水性を損なうことがない。また、通常の多針キルティング縫着とは異なり、素材間に針による貫通穴がなく、糸を使用しないため糸切れや糸のほつれもない。さらに、長期使用においても不織布１０と側生地３との接着状態を確実に保持することができる。なお、超音波キルト加工により接着された不織布１０と側生地３との全面には、図５に示すように、接着部４によりデザイン柄を形成することができる。
【００１４】
さらにまた、本考案の寝具の他の好適例として、図９に示すように、不織布１０を身体が接触される側生地面に配設することが好ましい。これにより、就寝中の発汗等により生じる湿気や体臭を効率よく吸着すると共に、吸着した臭いの消臭力を一層高めることができる。
【００１５】
さらにまた、本考案の寝具の他の好適例として、不織布１０を図９に示す掛け布団１１に設置することが好ましい。この際、掛け布団１１の身体接触側の側生地３内側に不織布１０を配設する。不織布１０は通常の縫着、キルティング加工、超音波キルト加工等で接着してもよい。また、不織布１０は図７に示す敷き布団１２に設置してもよい。この際、不織布１０を身体接触側の側生地３の内側に配設することが好ましい。さらに、不織布１０は図８に示す枕１３に設置してもよい。この際、不織布１０を頭部接触側の側生地３の内側に設置することで、頭部から発せられる汗や臭いを効率よく吸湿、消臭させることが可能となる。
【図面の簡単な説明】
【００１６】
【図１】本考案の寝具である掛け布団の一部欠切状態を表す斜視図である。
【図２】前記掛け布団の拡大断面図である。
【図３】不織布を側生地に縫着した状態を表す掛け布団の斜視図である。
【図４】前記掛け布団の拡大断面図である。
【図５】超音波キルト加工にて接着した寝具の平面図である。
【図６】前記寝具の拡大断面図である。
【図７】本考案の寝具である敷き布団の一部欠切状態を表す斜視図である。
【図８】本考案の寝具である枕の一部欠切状態を表す斜視図である。
【図９】本考案の寝具の使用状態を表す断面図である。
【符号の説明】
【００１７】
１  寝具
２  中材
３  側生地
４  接着部
１０  不織布
１１  掛け布団
１２  敷き布団
１３  枕
【図１】
0003103626.tif 000003
【図２】
0003103626.tif 000004
【図３】
0003103626.tif 000005
【図４】
0003103626.tif 000006
【図５】
0003103626.tif 000007
【図６】
0003103626.tif 000008
【図７】
0003103626.tif 000009
【図８】
0003103626.tif 000010
【図９】
0003103626.tif 000011